(57)【要約】【課題】荷物などの盗難を防止すると共に、該荷物などをトイレに忘れるのを防止するための盗難防止および忘れ物防止機能付トイレフックを提供する。【解決手段】トイレの個室の空間Ｓを囲うと共に出入りするための開口３が形成された開口枠２と、開口３を閉塞する扉１と、開口３に対し扉１が開かないようにする施錠装置２０とを備えたトイレに関する。荷物を引っ掛けるためのフック１０と、荷物がフック１０に引っ掛けられると荷物の重量により扉１が開かず、かつ、荷物が前記フック１０から外されると、施錠装置２０の施錠が自動的に解除されることにより扉１を開くことを可能とする忘れ防止機構と、フック１０の上方の位置に設けられ、フック１０に掛けた荷物をフック１０から真上に向って取り外すことを防止する第１の盗難防止部１１と、を備えている。【選択図】図１
0003153302.tif 000002
【実用新案登録請求の範囲】
【請求項１】
トイレの個室の空間を囲うと共に出入りするための開口が形成された開口枠と、
前記開口を閉塞する扉と、
前記開口に対し前記扉が開かないようにする施錠装置とを備えたトイレにおいて、
荷物を引っ掛けるためのフックと、
前記荷物が前記フックに引っ掛けられると前記荷物の重量により前記扉が開かず、かつ、前記荷物が前記フックから外されると前記施錠装置の施錠が自動的に解除されることにより前記扉を開くことを可能とする忘れ防止機構と、
前記フックの上方の位置に設けられ、前記フックに掛けた荷物を前記フックから真上に向って取り外すことを防止する第１の盗難防止部と、
を備えた盗難防止および忘れ物防止機能付トイレフック。
【請求項２】
請求項１において、前記フックに対向する位置に設けられ、前記フックから前記扉とは反対の内側に向って荷物を取り外すことを防止し、かつ、前記フックから荷物を下方に向って取り外すのを許容する第２の盗難防止部を備えた盗難防止および忘れ物防止機能付トイレフック。
【請求項３】
請求項１もしくは２において、前記第１の盗難防止部が衣服を掛ける衣服掛フックを構成する盗難防止および忘れ物防止機能付トイレフック。
【考案の詳細な説明】
【技術分野】
【０００１】
本考案は盗難防止および忘れ物防止機能付きトイレフックに関するものである。
【背景技術】
【０００２】
所謂テナントビルディングを初め、デパートやスーパーマーケットなどの各種販売店、鉄道車両、役所や駅、演劇場、その他の各種公共施設には、不特定多数の人々によって使用される公共のトイレが設けられている。
前記トイレ内には、バッグないし袋などの荷物や、上着などの衣服を引っ掛けるためのフックが設けられている。
【０００３】
ここで、前記フックに荷物を引っ掛けた状態で用便を行っている際に、前記フックに掛けられた荷物が盗難に合うという事例が発生している。この窃盗の手口としては、隣接するトイレの仕切板の上方や扉の上方などから、手もしくは鉤状の棒などを用いて前記荷物を真上に向って持ち上げるようにしてフックから外しているものと考えられる。
そこで、盗難防止用のフックが提案されている（特許文献１参照）。
【０００４】
一方、使用者が前記荷物などをフックに掛けたことを失念してトイレから出てしまい、該荷物などが忘れ物となる場合がある。そのため、忘れ物防止用のフックが提案されている（特許文献２参照）。
【先行技術文献】
【特許文献】
【０００５】
【特許文献１】特開平１０−５１０６号（要約書）
【特許文献２】実用新案登録第３１０６５９５号（要約書）
【考案の概要】
【考案が解決しようとする課題】
【０００６】
しかし、特許文献１のフックでは、荷物を真上に持ち上げた後、略水平方向に動かすことで荷物をフックから取り外すことができる。そのため、十分な防犯効果が得られない。
一方、特許文献２のフックは、かんぬきを用いた施錠装置にフックを取り付けたものである。しかし、荷物を施錠装置の位置よりも下の便器に近い場所に荷物を吊り下げることになるので、使用者に不衛生であるとの抵抗感が生じて利用されにくい。そのため、かかる場合には、忘れ物防止の効果が得られない。
【０００７】
したがって、本考案の目的は、荷物などの盗難を防止すると共に、該荷物などをトイレに忘れるのを防止するための盗難防止および忘れ物防止機能付きトイレフックを提供することである。
【課題を解決するための手段】
【０００８】
前記目的を達成するために、本考案の盗難防止および忘れ物防止機能付きトイレフックは、トイレの個室の空間を囲うと共に出入りするための開口が形成された開口枠と、前記開口を閉塞する扉と、前記開口に対し前記扉が開かないようにする施錠装置とを備えたトイレにおいて、荷物を引っ掛けるためのフックと、前記荷物が前記フックに引っ掛けられると前記荷物の重量により前記扉が開かず、かつ、前記荷物が前記フックから外されると前記施錠装置の施錠が自動的に解除されることにより前記扉を開くことを可能とする忘れ防止機構と、前記フックの上方の位置に設けられ、前記フックに掛けた荷物を前記フックから真上に向って取り外すことを防止する第１の盗難防止部と、を備えている。
【考案の効果】
【０００９】
本考案によれば、荷物をフックに引っ掛けると施錠されて扉が開かず、該荷物をフックから外すと施錠が解除される施錠装置を備えているので、荷物をフックから外すまで扉が開かないから、該荷物をトイレ内に忘れるおそれがなくなる。
また、前記フックの上方の位置に第１の盗難防止部が設けられているので、フックに掛けた荷物を該フックから真上に向って取り外すのが難しいから、荷物の盗難を防止し得る。
【００１０】
なお、荷物をフックに掛ける必要がない使用者のために、前記施錠機構とは別の施錠機構を設ける必要があるが、前記別の施錠機構は、既存の施錠機構を用いることができるので、既存のトイレに本発明の盗難防止および忘れ物防止部を取り付けることで、容易に盗難防止および忘れ物防止機能付トイレを実現し得る。
また、前記既存の施錠機構よりも上方に前記フックを設けることで、荷物を便器から離して荷物を引っ掛けることになるので、衛生面に関する使用者の抵抗感がなくなり、利用され易くなるので、忘れ物防止の効果が向上する。
【図面の簡単な説明】
【００１１】
【図１】本考案の一実施例にかかる盗難防止および忘れ物防止機能付トイレフックの要部を示す概略横断面図である。
【図２】同盗難防止および忘れ物防止機能付トイレフックに荷物を掛けた状態を示す概略横断面図である。
【図３】既存の施錠装置を示す概略斜視図である。
【考案を実施するための形態】
【００１２】
本考案において、前記フックに対向する位置に設けられ、前記フックから前記扉とは反対の内側に向って荷物を取り外すことを防止し、かつ、前記フックから荷物を下方に向って取り外すのを許容する第２の盗難防止部を備えているのが好ましい。
本態様によれば、第２の盗難防止部を備えることにより、前記フックから扉とは反対側の内側に向って荷物を取り外すことを防止し得るので、より一層、荷物の盗難を防止し得る。
【００１３】
本考案において、前記第１の盗難防止部が衣服を掛ける衣服掛フックを構成するのが好ましい。
本態様によれば、第１の盗難防止部を衣服を掛けるための衣服掛けフックとして用いることができるので、別途、衣服掛けを設ける必要がなくなり至便である。
【実施例１】
【００１４】
以下、本考案に係る盗難防止および忘れ物防止機能付トイレフックの一実施例を図面にしたがって説明する。
本実施例にかかるトイレには、盗難防止および忘れ物防止機能が設けられていると共に、別途、後述する既存の施錠装置１００（図３）が設けられている。
【００１５】
開口枠２および開口３：
図１に示すように、トイレには使用者が出入りする開口３が形成された開口枠２と、前記開口３を閉塞する扉１が設けられている。
前記トイレは、隣接するトイレの空間を仕切る仕切板（図示せず）で仕切られており、前記仕切板、開口枠２および壁（図示せず）によってトイレの個室の空間Ｓが形成されている。
なお、前記仕切板の上部および開口枠２の上部は、図示しない天井との間に隙間が設けられている。
【００１６】
図１および図３に示す前記開口枠２は、前記扉１の左右および上部を囲む門状に形成されている。図１に示す扉１は、開口枠２に対して内開きまたは外開きに設定されている。
【００１７】
施錠装置２０：
図１に示す前記扉１の内側（トイレの個室の空間Ｓ側）ＩＮの上部１ａには、固定具３０が該扉１に固定されている。前記固定具３０には、逆Ｊ字状のロッド９を上下方向Ｚに摺動自在に支持する第１および第２ブラケット３１，３２が設けられている。前記ロッド９の上端部には、下方向Ｚ２に向って折り曲げられたロックピン部２１が形成されている。
【００１８】
一方、前記門状の開口枠２の内側ＩＮの上部２ａには係止具２２が固定されている。前記係止具２２には前記ロックピン部２１が挿入される挿入孔２２ａが形成されている。
したがって、図１に示すロッド９が、図２に示すように下方向Ｚ２に移動すると、係止具２２の挿入孔２２ａ内にロッド９のロックピン部２１が挿入されて、開口枠２に対し扉１が開かないように施錠される。
【００１９】
第１の盗難防止部１１、フック１０：
図１に示す前記ロッド９の上下方向Ｚの概ね中央には、棒状の第１の盗難防止部１１が扉１とは反対の内側Ｘ１に向って一体に形成されている。前記棒状の第１の盗難防止部１１は略水平に形成されている。
【００２０】
前記第１の盗難防止部１１のロッド９寄りの位置には、第１の盗難防止部１１の下方に向って略Ｊ字状のフック１０が一体に形成されている。前記フック１０は荷物を引っ掛けるためのものである。
【００２１】
ここで、前記第１の盗難防止部１１は、前記第１および第２ブラケット３１，３２のうち、上方に位置する第１ブラケット３１よりも下方に形成されている。ロッド９の周囲にはスプリング１３が巻回されている。前記スプリング１３は、ロッド９に一体に形成された第１の盗難防止部１１の一方の端部１１ａと、下方の第２ブラケット３２との間に介挿されている。前記スプリング１３によってロッド９は、前記ロックピン部２１が挿入孔２２ａに挿入されていない開錠状態に付勢されている。
【００２２】
図２に示すように、バッグなどの荷物Ｂがフック１０に引っ掛けられると、図１のロッド９が下方向Ｚ２に引き下げられ、スプリング１３が下方向Ｚ２に圧縮されると共に、ロックピン部２１が係止具２２に挿入されて前記施錠装置２０が施錠される。
一方、荷物Ｂがフック１０から外されると、圧縮状態のスプリング１３が伸張してロッド９が上方向Ｚ１に移動し、図１に示すように、ロックピン部２１と係止具２２との係合が解かれて施錠装置２０が前記開錠状態となる。
すなわち、図２に示すように、荷物Ｂがフック１０に引っ掛けられると、施錠装置２０が施錠されて扉１が開かず、かつ、図１に示すように、前記荷物Ｂがフック１０から外されると施錠装置２０の施錠が解除されて扉１を開くことができるようになる。
【００２３】
このように、トイレの使用者は、荷物Ｂをフック１０から外すまで施錠装置２０によって施錠されて扉１が開かないので、荷物Ｂをトイレに忘れたままで該トイレから出ることができないから、忘れ物を確実に防止し得る。
したがって、固定具３０、第１および第２ブラケット３１，３２、ロッド９第１の盗難防止部１１、フック１０およびスプリング１３は忘れ防止機構を構成している。
なお、トイレの使用者の混乱を避けるために、扉１などに荷物Ｂをフック１０から外すまでは開錠されない旨の注意書を扉１に貼付するなどの措置を講じるのが好ましい。
【００２４】
第１の盗難防止部１１：
前述したように、前記第１の盗難防止部１１は、フック１０の上端部に設けられている。そのため、フック１０に掛けた荷物Ｂをロッド９から真上（上方向Ｚ１）に向って取り外すことを防止することができる。
【００２５】
衣服掛けフック；
一方、第１の盗難防止部１１は、略水平方向に伸張して設けられているので、該第１の盗難防止部１１に衣服を掛けることができる。したがって、第１の盗難防止部１１は衣服掛けフックを構成している。
【００２６】
なお、前記第１の盗難防止部１１のロッド９とは反対側の他端部１１ｂには、開口３が開ききった際に該開口３が前記仕切板ないし壁に衝突することによる損傷を防止するための緩衝部１４が設けられている。前記緩衝部１４は、たとえば、ゴムや弾力性を有する樹脂などにより構成されている。
【００２７】
第２の盗難防止部１２：
前記第１の盗難防止部１１には第２の盗難防止部１２が一体に形成されている。前記第２の盗難防止部１２は、第１の盗難防止部１１の下方に向って、フック１０よりも内側ＩＮに形成されている。第２の盗難防止部１２は略レ字状に形成されている。
【００２８】
第２の盗難防止部１２を形成することにより、前記フック１０から開口３とは反対の内側ＩＮに向って荷物Ｂを取り外すことが防止されると共に、フック１０から荷物Ｂを下方に向って取り外すのが許容される。
前記フック１０と第２の盗難防止部１２との間には、隙間Ｓ１が形成されている。
【００２９】
使用者の荷物Ｂの取り外し：
使用者が、フック１０に引っ掛けた荷物Ｂ（たとえばハンドバッグなど）の取手Ｂ１を該フック１０から取り外すには、該取手Ｂ１を上方向Ｚ１に向って引き上げた後、前記取手Ｂ１を内側ＩＮに若干動かし、前記隙間Ｓ１の間を下方向Ｚ２に向って通して取り外す。
【００３０】
盗難防止：
一方、フック１０に引っ掛けられた荷物Ｂをトイレの個室の空間Ｓの外側から抜き取る窃盗行為か行われる場合には、荷物Ｂの取手Ｂ１を上方に引き上げた後、前記取手Ｂ１を内側ＩＮに移動させ、該取手Ｂ１を下方に降ろして前記隙間Ｓ１内を通す必要がある。そのため、荷物Ｂをフック１０から素早く取り外すのが難しいので、盗難防止効果が高まる。
【００３１】
ここで、図１に示すように、略レ字状の第２の盗難防止部１２の上端部１２ａは、略Ｊ字状のフック１０の上端部１０ａよりも高さＨ分低く設定されている。そのため、トイレの個室の空間Ｓの外から荷物Ｂを取り外して窃盗を犯そうとしても、取手Ｂ１がフック１０の端部１０ｂに接触して、該取手Ｂ１が第２の盗難防止部１２の上端部１２ａに引っ掛かったり、第２の盗難防止部１２の折り返し部１２ｃ内に嵌まる確率が高い。そのため、トイレの個室の空間Ｓの外から荷物Ｂを取り外すことが極めて難しくなるので、盗難防止効果がより一層向上する。
なお、前記フック１０の端部１０ａと、第２の盗難防止部１２の端部１２ａとの隙間Ｓ１は、使用者が荷物Ｂの取手Ｂ１を十分に通すことができ、かつ、トイレの個室の空間Ｓの外から荷物Ｂを取り外すことが難しい距離に設定するのが好ましい。
【００３２】
既存の施錠装置：
つぎに、前記既存の施錠装置について簡単に説明する。
前記既存の施錠装置は、前述した忘れ防止機構の一部を構成する施錠装置とは別に設けられている。以下、既存の施錠装置の一例として直接ロック式の施錠装置について例示して説明する。
【００３３】
図３Ａに示すように、前記既存の施錠装置１００は、デッドボルト（かんぬき）１０１、ストライク１０２および施錠ツマミ１０３を備えている。
前記ストライク１０２は開口枠２の一方の側部２ｂに取り付けられている。デッドボルト１０１は、スライドカバー１０４を介して扉１に対して摺動自在に取り付けられている。デッドボルト１０１には施錠ツマミ１０３が固定されている。
【００３４】
前記施錠ツマミ１０３を摘んでデッドボルト１０１を施錠方向Ｙ１にスライド移動させると、デッドボルト１０１がスライドカバー１０４に案内されて、図３Ｂに示すように、ストライク１０２内に挿入されて施錠される。
一方、前記施錠状態を解除するには、施錠ツマミ１０３を摘んでデッドボルト１０１を開錠方向Ｙ２にスライド移動させることにより、図３Ａに示すように開錠される。
【産業上の利用可能性】
【００３５】
本考案の盗難防止および忘れ物防止機能付トイレフックは、公共施設など不特定多数のトイレに用いることができる。
【符号の説明】
【００３６】
１：扉
２：開口枠
３：開口
１０：フック
１１：第１の盗難防止部（衣服掛けフック）
１２：第２の盗難防止部
２０：施錠装置
Ｂ：荷物
Ｓ：トイレの個室の空間
【図１】
0003153302.tif 000003
【図２】
0003153302.tif 000004
【図３】
0003153302.tif 000005
【手続補正書】
【提出日】平成21年6月3日(2009.6.3)
【手続補正１】
【補正対象書類名】実用新案登録請求の範囲
【補正対象項目名】全文
【補正方法】変更
【補正の内容】
【実用新案登録請求の範囲】
【請求項１】
トイレの個室の空間を囲うと共に出入りするための開口が形成された開口枠と、
前記開口を閉塞する扉と、
前記開口に対し前記扉が開かないようにする施錠装置とを備えたトイレにおいて、
荷物を引っ掛けるためのフックと、
前記荷物が前記フックに引っ掛けられると前記荷物の重量により前記扉が開かず、かつ、前記荷物が前記フックから外されると前記施錠装置の施錠が自動的に解除されることにより前記扉を開くことを可能とする忘れ防止機構と、
前記フックの上方の位置に設けられ、前記フックに掛けた荷物を前記フックから真上に向って取り外すことを防止する第１の盗難防止部と、
を備えた盗難防止および忘れ物防止機能付トイレフック。
【請求項２】
請求項１記載の盗難防止および忘れ物防止機能付きフックにおいて、前記フックに対向する位置に設けられ、前記フックから前記扉とは反対の内側に向って荷物を取り外すことを防止し、かつ、前記フックから荷物を下方に向って取り外すのを許容する第２の盗難防止部を備えた盗難防止および忘れ物防止機能付トイレフック。
【請求項３】
請求項１又は２記載の盗難防止および忘れ物防止機能付きトイレフックにおいて、前記第１の盗難防止部が衣服を掛ける衣服掛フックを構成する盗難防止および忘れ物防止機能付トイレフック。
【手続補正書】
【提出日】平成21年7月1日(2009.7.1)
【手続補正１】
【補正対象書類名】実用新案登録請求の範囲
【補正対象項目名】全文
【補正方法】変更
【補正の内容】
【実用新案登録請求の範囲】
【請求項１】
トイレの個室の空間を囲うと共に出入りするための開口が形成された開口枠と、
前記開口を閉塞する扉と、
前記開口に対し前記扉が開かないようにする施錠装置とを備えたトイレにおいて、
荷物を引っ掛けるためのフックと、
前記荷物が前記フックに引っ掛けられると前記荷物の重量により前記扉が開かず、かつ、前記荷物が前記フックから外されると前記施錠装置の施錠が自動的に解除されることにより前記扉を開くことを可能とする忘れ防止機構と、
前記フックの上方の位置に設けられ、前記フックに掛けた荷物を前記フックから真上に向って取り外すことを防止する第１の盗難防止部と、
を備えた盗難防止および忘れ物防止機能付トイレフック。
【請求項２】
請求項１記載の盗難防止および忘れ物防止機能付きトイレフックにおいて、前記フックに対向する位置に設けられ、前記フックから前記扉とは反対の内側に向って荷物を取り外すことを防止し、かつ、前記フックから荷物を下方に向って取り外すのを許容する第２の盗難防止部を備えた盗難防止および忘れ物防止機能付トイレフック。
【請求項３】
請求項１又は２記載の盗難防止および忘れ物防止機能付きトイレフックにおいて、前記第１の盗難防止部が衣服を掛ける衣服掛フックを構成する盗難防止および忘れ物防止機能付トイレフック。